【事件の表示】
　平成　４年特許願第１１６４４６号「記録ディスクの情報処理方法及び情報処理装置」拒絶査定に対する審判事件［平成　５年１１月２６日出願公開、特開平　５−３１４６２４］について、次のとおり審決する。
【結　論】
　本件審判の請求は、成り立たない。
【理　由】
１.手続の経緯、本願発明
　本願は、平成４年５月８日の出願であって、その請求項１〜５に係る発明は、原審において補正された明細書及び図面の記載からみて、その特許請求の範囲の請求項１〜２に記載されたとおりの「記録ディスクの情報処理方法」、及び同じく請求項３〜５に記載されたとおりの「記録ディスクの情報処理装置」にあるものと認められるところ、その請求項１に記載された発明は次のとおりである。
　「【請求項１】異なる規格もしくは記録フォーマットを有する複数の記録ディスクが混在する記録ディスク群から目的の記録ディスクを選択して交換を行う記録ディスクの情報処理方法において、
　前記記録ディスク群から選択された目的の記録ディスクが有するアプリケーションプログラムに基づく記録情報の再生動作以降は、前記記録ディスク群のうち、前記目的記録ディスクのアプリケーションプログラムで再生可能な規格もしくは記録フォーマットの記録ディスクのみを交換対象として選択するよう制御することを特徴とする記録ディスクの情報処理方法。」(以下、「本願発明」という。)
　　
２.引用刊行物に記載された発明
　原査定の拒絶の理由に引用された実願昭６３−９１８９１号(実開平２−１６４５４号)のマイクロフィルム（以下、「引用刊行物１」という。)、及び特開平４−１４６６７号公報（以下、「引用刊行物２」という。)には、それぞれ次のような発明及び技術事項が記載されている。
　(1) 引用刊行物１
　　引用刊行物１には、オーディオＣＤとＣＤ−ＲＯＭとの双方について自動交換を達成し得る「コンパクトディスク自動交換機能付き再生装置」について、次の事項が記載されている。
　　ア．第１１頁６〜１９行において
　　 「第２図を参照すると、本考案によるＣＤ（コンパクトディスク）自動交換機能付き再生装置がブロック図として示され、それはＣＤから光情報を読み取る再生プレーヤ１０と、複数のオーディオＣＤを格納する格納場所を備えたＣＤ自動交換手段１２とを具備し、ＣＤ自動交換手段１２には便宜的に数字１から５によって番号付けされたＣＤ格納場所が設けられる。本実施例では、ＣＤ格納場所１ないし４にはオーディオＣＤが格納され、ＣＤ格納場所５にはＣＤ−ＲＯＭが格納される。ＣＤ自動交換手段１２は再生プレーヤ１０に対して相対的に移動し得るようにされ、これにより各ＣＤ格納場所のＣＤ出入れ口がＣＤプレーヤ１０のＣＤ装入口と整列させられるようになっている。」
　　イ．第１２頁７行〜第１３頁３行において
　　 「第２図において、参照番号１４は制御回路を示し、この制御回路１４はマイクロコンピュータによって構成される。（中略）マイクロコンピュータは中央処理装置（ＣＰＵ）１６と、ＣＤ自動交換機能付き再生装置の作動プログラム、定数等を記憶している続出し専用メモリ（ＲＯＭ）１８と、一時的なデータ等を記憶する書込み・続出し可能なメモリ（ＲＡＭ）２０と、入出力インターフェース（Ｉ／Ｏ）２２とを包含する。
　　　ＣＤ自動交換手段１２のＣＤ格納場所１ないし４にそれぞれ所定のオーディオＣＤが格納されてセットされると、それらＣＤ格納場所１ないし４に格納されたオーディオＣＤが制御回路１４の制御下で順次再生プレーヤ１０に装入され、各オーディオＣＤのインデックス情報が読み取られ、それらインデックス情報は各ＣＤ格納場所との対応関係で制御回路１４のＲＡＭ ２０に記憶される。」
　　ウ．第１３頁１２行〜第１４頁３行において
　　 「再生プレーヤ１０でオーディオＣＤから読み出されたオーディオ信号はオーディオ信号再生装置２４に入力され、そこでオーディオ信号はアナログ信号に変換されて増幅され、その増幅信号に基づいてスピーカ２６が作動される。（中略）
　　　一方、再生プレーヤ１０でＣＤ−ＲＯＭから読み出されたデータはＩ／Ｏ２２を介して制御回路１４に入力されてそこで処理される。ＣＲＴ２８にはそのように処理されたデータに基づく情報例えば道路地図情報が表示される。」
　　エ．第１４頁４〜末行において
　　 「第２図において、参照番号３０はオーディオＣＤの再生を選択するための選択スイッチを示し、この選択スイッチ３０を“オン”させると、制御回路１４はオーディオＣＤ再生モードとなる。参照番号３２は例えばテンキーとして構成し得る選曲入力キーを示し、この選曲入力キー３２の操作によって、ＣＤ格納場所１ないし４のうちのいずれかに格納されたオーディオＣＤが再生プレーヤ１０に装入されることになる。なお、本実施例では、オーディオＣＤに複数の曲が記録されている場合には、そのうちの所定の曲についても選曲入力キー３２によって選曲し得るようにされている。また、参照番号３４はＣＤ−ＲＯＭの再生を選択するための選択スイッチを示し、この選択スイッチ３４が“オン” されると、制御回路１４はＣＤ−ＲＯＭ再生モードとなる。なお、参照番号３６はＣＤ自動交換機能付き再生装置の電源スイッチを示す。」
　　オ．第１５頁１〜１３行において
　　 「次に、第３図に示す作動ルーチンを参照して、上述のＣＤ自動交換機能付き再生装置の作動について説明する。
　　　この作動ルーチンは電源スイッチ３６を“オン”することによって実行される。ステップ３０１では、選択スイッチ３０が“オン”されたか否かが判断され、選択スイッチ３０が“オン”されないときは、ステップ３０２に進み、そこでは選択スイッチ３４が“オン”されたか否かが判断される。選択スイッチ３０および３４のいずれも“オン”されないときは、ステップ３０１に戻され、これは選択スイッチ３０および３４のいずれか一方が“オン”されるまで繰り返される。」
　　カ．第１５頁１４行〜第１７頁９行において
　　 「選択スイッチ３０が“オン”されると、ステップ３０３では、選曲入力キー３２によって、選曲信号が入力されたか否かが判断される。選曲信号が入力されない限り、ステップ３０３から先に進まない。選曲信号が入力されると、ステップ３０４に進み、そこでは選曲信号に対応するインデックス情報があるか否かが判断される。選曲信号に対応するインデックス情報がない場合には、ステップ３０５に進んで、エラーが適当な表示手段によって表示され、ステップ３０３に戻される。選曲信号に対応するインデックス情報がある場合には、ステップ３０６に進む。
　　　ステップ３０６では、ＣＤ自動交換手段１２が選曲信号に対応したインデックス情報に基づいて操作される。例えば、選曲された曲がＣＤ格納場所３に格納されたオーディオＣＤに記録されている場合、ＣＤ自動交換手段１２が再生プレーヤ１０に対して移動させられ、これによりＣＤ格納場所３のＣＤ出入れ口が再生プレーヤ１０の装入口と整列させられる。次いで、ステップ３０７に進み、そこではＣＤ格納場所３からオーディオＣＤが取り出されて再生プレーヤ１０に装入される。
　　　再生プレーヤ１０に所定のオーディオＣＤが装入されると、ステップ３０８に進み、再生プレーヤ１０が作動されて、該オーディオＣＤからオーディオ信号の読取りが開始される。その読取りオーディオ信号は再生プレーヤ１０から順次出力されてオーディオ信号再生装置２４に入力される。
　　　ステップ３０９では、再生プレーヤ１０でのオーディオＣＤの再生が終了したか否かが判断される。再生プレーヤ１０でのオーディオＣＤの再生が終了すると、ステップ３１０に進み、そこでは再生済みのオーディオＣＤがＣＤ自動交換手段１２の所定のＣＤ格納場所（例えばＣＤ格納的場所３）に戻される。オーディオＣＤが所定のＣＤ格納場所に戻されると、この作動ルーチンは終了する。」
　　キ．第１７頁１０行〜第１８頁１０行において
　　 「ステップ３０２で選択スイッチ３４が“オン”されると、ステップ３１１に進み、そこでは、ＣＤ自動交換手段１２がそのＣＤ格納場所５のＣＤ出入れ口を再生プレーヤ１０のＣＤ装入口に整列させるように直ちに操作される。次いで、ステップ３１２に進み、そこではＣＤ格納場所５からＣＤ−ＲＯＭが取り出されて再生プレーヤ１０に装入される。
　　　再生プレーヤ１０にＣＤ−ＲＯＭが装入されると、ステップ３１３ に進み、再生プレーヤ１０が作動されて、該ＣＤ−ＲＯＭからデータの読取りが開始される。その読取りデータはＩ／Ｏ２２を介して制御回路１４に順次入力されて処理され、その処理データに基づく例えば道路地図情報がＣＲＴ２８によって表示される。
　　　ステップ３１４では、再生プレーヤ１０でのＣＤ−ＲＯＭの再生が終了したか否かが判断される。再生プレーヤ１０でのＣＤ−ＲＯＭの再生が終了すると、ステップ３１５に進み、そこでは再生済みのＣＤ−ＲＯＭがＣＤ自動交換手段１２のＣＤ格納場所５に戻される。ＣＤ−ＲＯＭがＣＤ格納場所５に戻されると、この作動ルーチンは終了する。」
　　ク．第１８頁１１〜末行において
　　 「上述の実施例では、ＣＤ−ＲＯＭ専用の格納場所が１つだけ設けられたが、２つ以上のＣＤ−ＲＯＭ専用の格納を設けることも可能である。この場合には、ステップ３０２とステップ３１０との間でＣＤ−ＲＯＭの選択が行われ、その選択に応じてＣＤ自動交換手段１２の操作が行われることになる。なお、そのようなＣＤ−ＲＯＭの選択については、選曲入力キー３２を利用することができる。」（なお、上記「…ステップ３１０との間で…」は、「…ステップ
３１１
　　ケ．第２図及び第３図において
　　　コンパクトディスク自動交換機能付き再生装置のブロック図、及び該再生装置の作動ルーチンが示されている。
　　
　　上記記載事項(エ)〜(キ)及び第２〜３図等をみれば、この引用刊行物１に記載された再生装置は、一度、オーディオＣＤの再生を選択するための選択スイッチ(30)、又はＣＤ−ＲＯＭの再生を選択するための選択スイッチ(34)のいずれか一方の選択スイッチを“オン”して、制御回路(14)をオーディオＣＤ再生モード又はＣＤ−ＲＯＭ再生モードのいずれか一方の再生モードを選択すると、他方の選択スイッチ(30又は34)を“オン”するか、又は電源スイッチ(36)を“オフ”しない限り、前記選択された再生モードが維持されて、この再生モードでは再生可能な記録ディスクのみが交換対象として選択されるものである。
　　また、上記記載事項(ク)をみれば、上記引用刊行物１に記載の再生装置は、２つ以上のＣＤ−ＲＯＭ専用収納場所が設けられ、選曲入力キー(32)を利用してＣＤ−ＲＯＭの選択が行われるものである。
　　そして、オーディオＣＤやＣＤ−ＲＯＭを再生するとき、再生用のアプリケーションプログラムが必要なことは当然のことである。
　　してみれば、上記引用刊行物１には以下の発明が記載されていることになる。
　　「オーディオＣＤ収納場所に収納された複数のオーディオＣＤとＣＤ−ＲＯＭ専用収納場所に収納された複数のＣＤ−ＲＯＭであるＣＤ群から目的のＣＤを選択して交換を行うＣＤの情報処理方法において、
　　前記ＣＤ群から選択された目的のＣＤを再生するためのアプリケーションプログラムに基づく記録情報の再生動作以降は、前記ＣＤ群のうち、前記目的のＣＤのアプリケーションプログラムで再生可能なＣＤのみを交換対象として選択するよう制御するＣＤの情報処理方法。」(以下、「引用刊行物１の発明」という。）
　　
　(2) 引用刊行物２
　　引用刊行物２には、メモリディスク(ＣＤ−ＲＯＭ)を含む複数のディスクを収納して、そのうちの所望のディスクを選択的に演奏することができる「マルチディスクプレーヤのディスク選択制御装置」について、次の事項が記載されている。
　　コ．第３頁左上欄１５行〜同右上欄１５行において
　　 「第１図において、マルチディスクプレーヤ１は、複数枚のディスク（ＣＤ）をマガジン２に収納してセットしておくことにより、複数枚のディスクを連続して演奏する連続演奏、予め選曲指定された順に演奏するプログラム演奏或いは乱数等にしたがって任意に選曲して演奏するランダム演奏が可能なプレーヤである。また、このプレーヤ１はメモリディスクの演奏も可能であり、オーディオディスクとメモリディスクとを１つのマガジン２に混在させることができる。
　　　複数枚のディスク、例えば６枚のディスクを所定ピッチで順に配列収納可能なマガジン２には、ディスクを担持する６枚のトレイ（図示せず）がマガジン本体に対して突出・収納自在に設けられている。マガジン２はプレーヤ本体の所定装着部に着脱自在に装着される。このマガジン２に設けられた６枚のトレイ上にそれぞれ収納された６枚のディスクＤ１〜Ｄ６のうちの１枚がディスク取出搬送機構３によって取り出され、さらにスピンドルモータ４の回転軸に固着されたターンテーブル５上に搬送されてクランプされる。」
　　サ．第３頁右下欄下から４行〜第４頁左上欄１０行において
　　 「なお、ディスクＤのリードインエリアには、そのディスクがオーディオディスク（ＣＤ）であるかメモリディスク（ＣＤ−ＲＯＭ）であるかのディスク識別情報をサブコードＱ信号中に含むＴＯＣ（Ｔable Ｏf Ｃontents）と称される索引情報が記録されている。このＴＯＣ情報はディスクの収録内容によって異なる。また、本実施例においては、メモリディスクに例えば地図データが記憶されているものとする。そして、１枚のメモリディスクには、日本全国を例えば４つの広域地域に分割するとした場合、１つの広域地域の地図に対応する地図データ群と共に、この広域地域を分割して得られる複数の分割地域の複数枚の地図に各々対応する複数の地図データ群が記憶される。」
　　シ．第４頁左下欄９〜１７行において
　　 「なお、システムコントローラ１７の内部メモリには、例えば日本全国の地図データを各々分割して収録した４枚のメモリディスクに関し、各ディスクの収録内容を識別するディスク内容識別情報、例えば地図１（北海道地区）、地図２（東日本地区）、地図３（西日本地区）及び地図４（四国・九州地区）の地図番号と各ディスクのＴＯＣ情報（索引情報）とが対応関係をもって予め記憶されているものとする。」
　　ス．第４頁左下欄下から３行〜第５頁右上欄下から４行において
　　 「次に、メモリディスクに関してディスク内容識別情報と各ディスクの収納位置との対応関係をメモリする際にシステムコントローラ１７のプロセッサによって実行される処理手順を第２図のフローチャートにしたがって説明する。なお、本ルーチンは、操作部２１からメモリ指令が発せられた際に呼び出されて実行されるものとする。
　　　メモリ指令が発せられると、システムコントローラ１７のプロセッサは先ず、プレーヤコントローラ１２に対してマガジン２に収納されている全てのディスクのＴＯＣ情報の読取りの要求をなし（ステップＳ１）、しかる後プレーヤコントローラ１２から読取りが完了した旨の返信を待ち（ステップＳ２）、読取り完了の返信があったら、次にプレーヤコントローラ１２に対して全てのＴＯＣ情報の転送を要求する。（ステップＳ３）。
　　　このとき、プレーヤコントローラ１２においては、そのプロセッサの制御によってマガジン２に収納されている全てのディスクを収納位置（トレイ番号）の順に演奏して各ディスクのＴＯＣ情報の読取りが行なわれ、全てのディスクのＴＯＣ情報を読み取ったら、システムコントローラ１７に対して読取りが完了した旨を伝え、さらにシステムコントローラ１７からの転送要求に応答して読み取った全てのＴＯＣ情報をシステムコントローラ１７に対して転送する。
　　　システムコントローラ１７のプロセッサは、全てのＴＯＣ情報が転送されると、ディスク収納位置を示すトレイ番号ｎ（本例では、ｎ＝１〜６）に関し先ずトレイ番号１からそこに収納されているディスクがメモリディスクであるか否かを判断する（ステップＳ４）。ディスクがメモリディスクであるか否かの判断は、ＴＯＣ情報のサブコードＱ信号中に含まれるディスク識別情報に基づいて行なわれる。トレイ番号１に収納されているディスクがメモリディスクであると判定したから、プロセッサは、先述した如く内部メモリに予め記憶されている地図番号ｍ（本例では、ｍ＝１〜４）と各ディスクのＴＯＣ情報との対応関係に基づいて、トレイ番号１のディスクのＴＯＣ情報が地図番号１〜４のうちのどのディスクのＴＯＣ情報と一致するかを判断し（ステップＳ５〜Ｓ７）、ＴＯＣ情報が一致する地図番号ｍが存在したら、その地図番号ｍをトレイ番号１に対応させて内部メモリに記憶し（ステップＳ８）、以上の処理をステップＳ９及びステップＳ１０を経てステップＳ４に戻ることによって全てのトレイ番号に関して実行する。
　　　以上の処理手順により、マガジン２内にメモリディスクが収納されていれば、その収納位置を示すトレイ番号ｎとそのメモリディスクの収録内容を識別するディスク識別情報（本例では、メモリディスクには地図データが収録されているから北海道地区等の地域を示す地図番号ｍ）とが対応関係をもって記憶保持されることになる。したがって、所望の地域の地図を表示したい場合には、操作部２１において地図番号ｍをキー入力することによって自動的に対応するトレイ番号ｎを知って、そのトレイ番号ｎの収納位置のメモリディスクを選択できることになる。」
　　上記記載事項(コ)〜(ス)をみれば、引用刊行物２には次の技術事項が記載されている。
　　「記録ディスクの情報処理方法において、異なる規格もしくは記録フォーマットを有する複数の記録ディスクが混在する記録ディスク群から目的の記録ディスクを選択して交換を行うこと。」
　　
３．対　比
　そこで、本願発明(前者)と引用刊行物１の発明(後者)とを比較すると、後者における「ＣＤ」及び「ＣＤ群」は、それぞれ前者における「記録ディスク」及び「記録ディスク群」に相当するものであり、また、後者における「オーディオＣＤとＣＤ−ＲＯＭ」は、異なる規格もしくは記録フォーマットを有する記録ディスクであることが明らかであるから、両者は以下の一致点及び相違点を有するものである。
　[一致点]
　「異なる規格もしくは記録フォーマットを有する記録ディスク群から目的の記録ディスクを選択して交換を行う記録ディスクの情報処理方法において、
　 前記記録ディスク群から選択された目的の記録ディスクを再生するためのアプリケーションプログラムに基づく記録情報の再生動作以降は、前記記録ディスク群のうち、前記目的記録ディスクのアプリケーションプログラムで再生可能な規格もしくは記録フォーマットの記録ディスクのみを交換対象として選択するよう制御する記録ディスクの情報処理方法。」
　[相違点]
　　(i) 目的の記録ディスクが選択される記録ディスク群が、前者においては、異なる規格もしくは記録フォーマットを有する複数の記録ディスクが混在してなるのに対して、後者では、それらが区別して格納され混在していない点。
　　(ii) 前者においては、再生用のアプリケーションプログラムを記録ディスクが有しているのに対して、後者では、それを記録ディスクが有しているかどうか明らかでない点。
　　
４．当審の判断
　以下、上記相違点について検討する。
　(1) 相違点(i)について
　　異なる規格もしくは記録フォーマットを有する記録ディスク群から目的の記録ディスクを選択して交換を行う記録ディスクの情報処理方法において、前記記録ディスク群として、異なる規格もしくは記録フォーマットを有する複数の記録ディスクが混在してなるものを採用することは、上記引用刊行物２に記載されているとおり公知の技術事項であり、この公知の技術事項を引用刊行物１の発明に適用することに格別の困難性は見当たらない。
　(2) 相違点(ii)について
　　記録ディスク再生用のアプリケーションプログラムをその記録ディスクに設けることは、例示するまでもなく当該技術分野において普通に行なわれている技術事項であるから、引用刊行物１の発明において、記録ディスクが再生用のアプリケーションプログラムを有するように構成することは、当業者であれば必要に応じて適宜採用し得る設計的事項である。
　　
　してみれば、本願発明は、引用刊行物１の発明に対して引用刊行物２に記載の公知の技術事項、及び普通に行なわれている技術事項を適用することによって、当業者が容易に想到することができたものである。
　そして、本願発明を全体的にみても、上記引用刊行物１の発明、公知の技術事項、及び普通に行なわれている技術事項から当業者が当然予測できる範囲を超える格別の作用・効果を見出すことができない。
　　
５．むすび
　以上のとおりであって、本願発明は、引用刊行物１及び２に記載された発明に基づいて、当業者が容易に発明をすることができたものであるから、特許法第２９条第２項の規定により特許を受けることができない。
　よって、結論のとおり審決する。